(57)【要約】【課題】装置に設けた検出手段が音などの外的な刺激を検出すると、現在表示している映像を変化させ、見る人に何らかの情報を与える伝達情報を形成することができる画像表示装置を提供すること。【解決手段】音や光などの外的刺激を検出する検出手段３を備えた画像表示装置１であって、上記検出手段３が外的刺激を検出すると画面上に表示した多数の構成体ａを所定の位置に移動させ、その構成体ａで文字や絵柄などの伝達情報ｂを構成するとともに、その伝達情報ｂは上記検出手段３が外的刺激を再度検出すると、多数の構成体ａに分散するようにした。【選択図】図３
2009008821.tif 000002
【特許請求の範囲】
【請求項１】
音や光などの外的刺激を検出する検出手段を備えた画像表示装置であって、上記検出手段が外的刺激を検出すると画面上に表示した多数の構成体を所定の位置に移動させ、該構成体で文字や絵柄などの伝達情報を構成することを特徴とする画像表示装置。
【請求項２】
前記伝達情報が時刻である、請求項１記載の画像表示装置。
【請求項３】
前記伝達情報は、前記検出手段が外的刺激を検出又は検出しないで所定時間が経過すると、多数の構成体に分散する、請求項１又は２記載の画像表示装置。
【請求項４】
前記画像表示装置が前記画面に表示した構成体及び伝達情報を投影する投影装置である、請求項１、２又は３記載の画像表示装置。
【発明の詳細な説明】
【技術分野】
【０００１】
本発明は、画像表示装置、詳しくは外的刺激を検出すると画面上に表示された多数の構成体が集合し伝達情報を形成する画像表示装置に関するものである。
【背景技術】
【０００２】
従来、画像表示装置に外的刺激を検出して画像を変化させるものが提案されている（例えば、特許文献１、２）。特許文献１の装置は、自動車のリアウインドに広告を投影するプロジェクタで、この装置は振動センサを備え、停止しているときだけ広告を映し出し、走行中は振動センサが走行を検出し文字や映像を映し出さないようにし、後続の車の運転手が気を取られないように運転安全を確保するようにしたものである。また、特許文献２の装置は、投影領域に人が存在するか否かを赤外線センサで検出し、赤外線が人を検出し投影領域に人がいると判断したときには輝度を低減して人の目に障害を与えないようにしたものである。
【特許文献１】特開２００１−３０６００９号公報
【特許文献２】特開２００６−２１５５６０号公報
【発明の開示】
【発明が解決しようとする課題】
【０００３】
本発明が解決しようとする問題点は、上述の装置は何れも装置に検出手段を設け、その検出手段が振動や人間の存在を検出した時に、表示を停止したり、輝度を下げたりして後続の車の運転手の運転に影響を与えないようにし、プロジェクタの投影領域に人が間違って入っても障害とならないようにするものであるが、検出手段が外的な刺激を検出した時に現在表示している映像を伝達情報に変化させ見る人にその情報を伝えるものではなかった。
【０００４】
本発明は、上記問題点を解決し、装置に設けた検出手段が外的刺激を検出すると、現在表示している多数の構成体からなる映像を変化させ、見る人に何らかの情報を与えるための伝達情報を構成体で構成するようにした画像表示装置を提供することを課題とする。
【課題を解決するための手段】
【０００５】
前記課題を解決するために本発明に係る画像表示装置は、音や光などの外的刺激を検出する検出手段を備えた画像表示装置であって、上記検出手段が外的刺激を検出すると画面上に表示した多数の構成体を所定の位置に移動させ、該構成体で文字や絵柄などの伝達情報を構成することを特徴とする。
【０００６】
なお、前記伝達情報が時刻で、外的刺激を与えると現在の時刻が判るようにしてもよい。
【０００７】
また、前記伝達情報は、前記検出手段が外的刺激を検出又は検出しないで所定時間が経過すると、多数の構成体に分散するようにすればよい。
【０００８】
そして、前記画像表示装置が前記画面に表示した構成体及び伝達情報を投影する投影装置であってもよい。
【発明の効果】
【０００９】
請求項１の発明によれば、手を叩く等して音を発生させると、画面上に表示されている多数の構成体が集合して文字や絵などの伝達情報を構成し、画面を見ている人に情報を提供することができ、常に情報を表示しているのではなく必要なときに見る人の意思を反映させて情報を提供することができる。
【００１０】
請求項２の発明によれば、伝達情報を時刻で構成することにより、ユーザーが外的な刺激を与えることにより、構成体の表示画面が時刻表示の画面に変わるので、いつも時刻を表示している無味乾燥な時計とは異なって心を癒す画像表示装置を実現することができる。
【００１１】
請求項３の発明によれば、伝達情報を表示している状態で外的な刺激を検出手段が検出するか、放置して所定時間経過するかにより、再び元の構成体の表示画面に変えることができ、特別な操作を必要とせず構成体の画面と伝達情報の表示される画面とを切り換えて楽しむことができる。
【００１２】
請求項４の発明によれば、画面に表示された伝達情報を壁や床などに投影することができるので、装置の前を人が通ったり声を出したりすると構成体を表示している投影画面が伝達情報を表示する投影画面に変化するので、通行人や多くの人にコマーシャルなどの情報を提供することができる。
【発明を実施するための最良の形態】
【００１３】
図１は本発明に係る画像表示装置の構成を説明するブロック図を示し、この画像表示装置１は、装置全体を制御するとともに図形の表示処理をする制御部（マイクロコンピュータ）２と、外的刺激を検出する検出手段（例えば、人の話しかけた声や音を感知する音センサ、人の接近を感知する赤外線センサ、明るさを感知する光センサなど）３、制御部２を動作させるための制御プログラムを格納したメモリ（プログラムＲＯＭ）４、時刻データをマイコン２に供給する時計回路５、構成体ａや伝達情報ｂを表示する表示装置６、効果音を出力するスピーカ７、表示装置６の表示モードを変えるモード切替スイッチ８などにより構成され、上記制御部２は表示装置６に後述する小さな画像（これを構成体という）をランダムに表示し、検出手段３が外的な刺激（センサが音センサであれば人が話しかけた声、手を叩いたりして発生する音など）を検出すると、画面上にランダムに配置されている構成体ａを所定のパターンになるように移動させユーザーに何らかの情報を伝えるための伝達情報ｂを形成するために構成体ａをドットとして位置づけ、そのドットで文字や数字、絵柄などを構成するようになっている。
【００１４】
なお、モード切換スイッチは、例えば時間経過で魚が成長したり、別の種類が登場したりするバラエティモードや、時間が経過しても魚は成長しないし、別の種類の魚も登場しないレギュラーモードなど様々なモードや、画面に表示される構成体の形状や、時間によって画面の明るさを変えるか否か等、様々な設定がなされている場合この設定を選択することができるようにしてもよいし、スピーカから出力される音響を効果音にするかＢＧＭにするかなど、機器の使用態様を選択するようにしてもよいし、様々な作動態様を切り替えられるように用いればよい。
【００１５】
次に、上記構成の画像表示装置１の作動態様の一例を、図２のフローチャート図及び図３の画面表示図で説明する。図３（ａ）は、画面に表示された構成体ａの一例を示すもので、この構成体ａは本発明では水中を遊泳する小さな魚で表示している。
【００１６】
電源をＯＮすると、図３（ａ）に示すように、表示装置６には小さな魚ａがランダムに表示されゆっくり画面上を移動している状態の構成体表示画面Ａが表示される（ステップＳＴ１）。
【００１７】
ユーザーが拍手をしたり声を出したりして音を発生させると（ステップＳＴ２）、音センサ３がその音を検出し、この検出信号が制御部２で認識されると制御部２は画面上に伝達情報を何で表示するかを決定し、例えば時刻が伝達情報として設定されている場合は、時刻データを時計回路５から読み取り、その時刻を表示するために構成体ａを貼り付ける画面上の座標を決定し、各座標に構成体である魚ａを配置するに必要な数の増減を行って、伝達情報を形成するのに必要な数の構成体ａを表示させ（図３（ｂ）参照）、全ての表示体を各座標に移動させることにより表示装置６の画面は伝達情報（本発明では時刻）ｂを表示する伝達表示画面Ａ´になる（図３（ｃ）参照）。
【００１８】
制御部２は伝達情報ｂを表示した状態で、音センサ３が再び外的刺激を検出するのを待ち（ステップＳＴ４）、ユーザーが拍手をしたり、声をかけたりして音を発生させると、この音を音センサ３が検出し、この検出信号が制御部２で認識された場合はステップＳＴ６に進み、画面上に表示されている伝達情報ｂを小さな魚ａの群れに分散させ（図３（ｄ）参照）、やがて画面上から徐々に消えて、にぎやかな状態から通常の状態（図３（ａ）参照）の構成体表示画面Ａに画面を変化させ観賞用の画面にする。
【００１９】
一方、音センサ３が音を検出しない状態が所定時間続いた場合は（ステップＳＴ６）、音センサ３が音を検出しなくても制御部２は、画面上に表示されている伝達情報ｂを小さな魚ａの群れに分散させ（図３（ｄ）参照）、やがて画面上から徐々に消けして、にぎやかな状態から通常の状態（図３（ａ）参照）の画面に画面を変化させて観賞用の画面に戻し、ステップＳＴ２に戻って、外的刺激が発生するのを待つことになる。
【００２０】
上述のように、ユーザーが伝達情報ｂを知りたくなって声をかけたり手を叩く等して音を発生させ画像表示装置１に外的刺激を与えると、小さな魚ａがゆっくり泳いでいる状態の観賞用としての画面Ａの表示が伝達情報ｂを形成するのに必要な数の魚ａの表示になり、やがて時刻などのユーザーが知りたい伝達情報ｂを形成表示するので、いつも時刻が表示されている時計や、単に魚が水槽の中を泳いでいる鑑賞用の映像と異なり、画像表示装置１のおかれた環境に何らかの外的な刺激が発生すると表示が自動的に変化して、単なる映像表示とは異なる興味深い画像表示装置を実現することができる。
【００２１】
しかも、伝達情報が不要になれば再度外的刺激を与えることにより、伝達情報が魚に分散し、再び観賞用の表示画面に戻ったり、観賞用の画面を伝達情報を表示する画面に変えたい場合は外的刺激を与え、伝達情報を入手が済んで観賞用画面に戻したければ外的刺激を与えれば画面が再び観賞用画面に変化し、装置に直接触れることなくして画面の変化を楽しむことができる。
【００２２】
上述したように、現在表示している画面に時刻などの伝達情報を単に数字や文字で表示するのではなく、外的な刺激を感知することにより、画面に表示されている多数の構成体が、集まって所定の伝達情報を構成するので、例えば校庭で遊んでいる子供たちが先生の合図で人文字を構成するような面白さを画面上で楽しむことができる。
【００２３】
なお、上記表示部を液晶ディスプレイで構成するとともに画像表示装置を公知のプロジェクタで構成し、液晶ディスプレイに表示される画像を壁や床などに投影するようにしてもよい。このように構成した画像表示装置（プロジェクタ）の検出手段を赤外線センサで構成した場合は、人の接近を赤外線センサで感知し、表示されている構成体を伝達情報を構成するのに必要な数に増減し、表示した構成体を順次所定の位置に移動させて商品名や店名などを紹介するコマーシャルとして伝達情報を構成し、壁や床に投影するようにしてもよい。
【００２４】
また、野球場や競技場などの大きなスタジアムのスクリーンを構成し、構成体をボールやグローブなどで表示し、その構成体を組み合わせて選手名や、時刻など様々な表示を行うようにしてもよく、その使用対象としては様々なものが考えられる。
【図面の簡単な説明】
【００２５】
【図１】本発明に係る画像表示装置の構成を説明するブロック図
【図２】上記画像表示装置の作動態様を説明するフローチャート図
【図３】（ａ）〜（ｄ）は上記画像表示装置の画像の変化を説明する画像表示図
【符号の説明】
【００２６】
１    画像表示装置
２    制御部
３    検出手段
６    表示装置
ａ    構成体
ｂ    伝達情報
【図１】
2009008821.tif 000003
【図２】
2009008821.tif 000004
【図３】
2009008821.tif 000005